(57)【要約】      （修正有）【課題】ＬＢＲＭを実行するワイヤレス通信のための方法、装置、およびコンピュータ可読媒体を提供する。【解決手段】ＵＥはＬＢＲＭを実行する前に、ｅＮＢに複数のＵＥカテゴリーを報告する９０２。さらに、ＵＥは、ＵＥカテゴリーに関するシグナリングがｅＮＢから受信されたかどうかを決定する９０４。さらに、ＵＥは、報告された複数のＵＥカテゴリーと、複数のＵＥカテゴリーに関するシグナリングとに基づいて、複数のＵＥカテゴリーからＵＥカテゴリーを選択する９０６。さらに、ＵＥは、選択されたＵＥカテゴリーに基づいて、ＵＥにおいてＬＢＲＭのために使用するためのソフトチャネルビットの総数を決定する９０８。その後、ＵＥは、ソフトチャネルビットの決定された総数に基づいてＬＢＲＭを実行する９１０。【選択図】図９
2019075808.tif 000002
【特許請求の範囲】
【請求項１】
ユーザ機器（ＵＥ）によって制限付きバッファレートマッチング（ＬＢＲＭ）を実行するための方法であって、
発展型ノードＢ（ｅＮＢ）に複数のＵＥカテゴリーを報告することと、
前記複数のＵＥカテゴリーに関するシグナリングが前記ｅＮＢから受信されたかどうかを決定することと、
前記報告された複数のＵＥカテゴリーと、前記複数のＵＥカテゴリーに関する前記シグナリングとに基づいて、前記複数のＵＥカテゴリーからＵＥカテゴリーを選択することと、
前記選択されたＵＥカテゴリーに基づいて、前記ＵＥにおいてＬＢＲＭのために使用するためのソフトチャネルビットの総数を決定することと、
ソフトチャネルビットの前記決定された総数に基づいてＬＢＲＭを実行することと
を備える、方法。
【請求項２】
前記ＵＥは、ＵＥカテゴリー１１またはＵＥカテゴリー１２のうちの少なくとも１つが前記ｅＮＢに報告され、前記シグナリングが前記ｅＮＢから受信されたとき、前記複数のＵＥカテゴリーから前記ＵＥカテゴリー１１または前記ＵＥカテゴリー１２を選択する、
請求項１に記載の方法。
【請求項３】
前記ＵＥは、前記選択されたＵＥカテゴリー１１または前記ＵＥカテゴリー１２に基づいて、前記ＵＥにおいてＬＢＲＭのために使用するためのソフトチャネルビットの前記総数を決定する、
請求項２に記載の方法。
【請求項４】
前記ＵＥカテゴリーは、前記シグナリングが前記ｅＮＢから受信されないとき、送信モード９が前記ＵＥのために構成されたかどうかにさらに基づいて選択される、
請求項１に記載の方法。
【請求項５】
前記ＵＥカテゴリー６は、送信モード９が前記ＵＥのために構成され、前記シグナリングが前記ｅＮＢから受信されないときに選択される、
請求項４に記載の方法。
【請求項６】
前記ＵＥカテゴリー４は、送信モード９が前記ＵＥのために構成されず、前記シグナリングが前記ｅＮＢから受信されないときに選択される、
請求項４に記載の方法。
【請求項７】
前記ＵＥが２５６直交振幅変調（ＱＡＭ）で構成されたかどうかを決定することをさらに備え、前記複数のＵＥカテゴリーに関する前記シグナリングは、前記ＵＥが２５６ＱＡＭで構成されたとき、前記ｅＮＢから受信されると決定される、
請求項１に記載の方法。
【請求項８】
制限付きバッファレートマッチング（ＬＢＲＭ）を実行するための装置であって、前記装置は、ユーザ機器（ＵＥ）であり、
メモリと、
前記メモリに結合された少なくとも１つのプロセッサと
を備え、前記少なくとも１つのプロセッサは、
発展型ノードＢ（ｅＮＢ）に複数のＵＥカテゴリーを報告することと、
前記複数のＵＥカテゴリーに関するシグナリングが前記ｅＮＢから受信されたかどうかを決定することと、
前記報告された複数のＵＥカテゴリーと、前記複数のＵＥカテゴリーに関する前記シグナリングとに基づいて、前記複数のＵＥカテゴリーからＵＥカテゴリーを選択することと、
前記選択されたＵＥカテゴリーに基づいて、前記ＵＥにおいてＬＢＲＭのために使用するためのソフトチャネルビットの総数を決定することと、
ソフトチャネルビットの前記決定された総数に基づいてＬＢＲＭを実行することと
を行うように構成された、装置。
【請求項９】
前記ＵＥは、ＵＥカテゴリー１１またはＵＥカテゴリー１２のうちの少なくとも１つが前記ｅＮＢに報告され、前記シグナリングが前記ｅＮＢから受信されたとき、前記複数のＵＥカテゴリーから前記ＵＥカテゴリー１１または前記ＵＥカテゴリー１２を選択する、
請求項８に記載の装置。
【請求項１０】
前記ＵＥは、前記選択されたＵＥカテゴリー１１または前記ＵＥカテゴリー１２に基づいて、前記ＵＥにおいてＬＢＲＭのために使用するためのソフトチャネルビットの前記総数を決定する、
請求項９に記載の装置。
【請求項１１】
前記ＵＥカテゴリーは、前記シグナリングが前記ｅＮＢから受信されないとき、送信モード９が前記ＵＥのために構成されたかどうかにさらに基づいて選択される、請求項８に記載の装置。
【請求項１２】
前記ＵＥカテゴリー６は、送信モード９が前記ＵＥのために構成され、前記シグナリングが前記ｅＮＢから受信されないときに選択される、
請求項１１に記載の装置。
【請求項１３】
前記ＵＥカテゴリー４は、送信モード９が前記ＵＥのために構成されず、前記シグナリングが前記ｅＮＢから受信されないときに選択される、
請求項１１に記載の装置。
【請求項１４】
前記少なくとも１つのプロセッサは、前記ＵＥが２５６直交振幅変調（ＱＡＭ）で構成されたかどうかを決定するようにさらに構成され、ここにおいて、前記複数のＵＥカテゴリーに関する前記シグナリングは、前記ＵＥが２５６ＱＡＭで構成されたとき、前記ｅＮＢから受信されると決定される、
請求項８に記載の装置。
【請求項１５】
制限付きバッファレートマッチング（ＬＢＲＭ）を実行するための装置であって、前記装置は、ユーザ機器（ＵＥ）であり、
発展型ノードＢ（ｅＮＢ）に複数のＵＥカテゴリーを報告するための手段と、
前記複数のＵＥカテゴリーに関するシグナリングが前記ｅＮＢから受信されたかどうかを決定するための手段と、
前記報告された複数のＵＥカテゴリーと、前記複数のＵＥカテゴリーに関する前記シグナリングとに基づいて、前記複数のＵＥカテゴリーからＵＥカテゴリーを選択するための手段と、
前記選択されたＵＥカテゴリーに基づいて、前記ＵＥにおいてＬＢＲＭのために使用するためのソフトチャネルビットの総数を決定するための手段と、
ソフトチャネルビットの前記決定された総数に基づいてＬＢＲＭを実行するための手段と
を備える、装置。
【請求項１６】
前記ＵＥは、ＵＥカテゴリー１１またはＵＥカテゴリー１２のうちの少なくとも１つが前記ｅＮＢに報告され、前記シグナリングが前記ｅＮＢから受信されたとき、前記複数のＵＥカテゴリーから前記ＵＥカテゴリー１１または前記ＵＥカテゴリー１２を選択する、
請求項１５に記載の装置。
【請求項１７】
前記ＵＥが、前記選択されたＵＥカテゴリー１１または前記ＵＥカテゴリー１２に基づいて、前記ＵＥにおいてＬＢＲＭのために使用するためのソフトチャネルビットの前記総数を決定する、
請求項１６に記載の装置。
【請求項１８】
前記ＵＥカテゴリーは、前記シグナリングが前記ｅＮＢから受信されないとき、送信モード９が前記ＵＥのために構成されたかどうかにさらに基づいて選択される、
請求項１５に記載の装置。
【請求項１９】
前記ＵＥカテゴリー６は、送信モード９が前記ＵＥのために構成され、前記シグナリングが前記ｅＮＢから受信されないときに選択される、
請求項１８に記載の装置。
【請求項２０】
前記ＵＥカテゴリー４は、送信モード９が前記ＵＥのために構成されず、前記シグナリングが前記ｅＮＢから受信されないときに選択される、
請求項１８に記載の装置。
【請求項２１】
前記ＵＥは、２５６直交振幅変調（ＱＡＭ）で構成されたかどうかを決定するための手段をさらに備え、前記複数のＵＥカテゴリーに関する前記シグナリングは、前記ＵＥが２５６ＱＡＭで構成されたとき、前記ｅＮＢから受信されると決定される、
請求項１５に記載の装置。
【請求項２２】
ユーザ機器（ＵＥ）によって制限付きバッファレートマッチング（ＬＢＲＭ）を実行するためのコンピュータ実行可能コードを記憶するコンピュータ可読媒体であって、
発展型ノードＢ（ｅＮＢ）に複数のＵＥカテゴリーを報告することと、
前記複数のＵＥカテゴリーに関するシグナリングが前記ｅＮＢから受信されたかどうかを決定することと、
前記報告された複数のＵＥカテゴリーと、前記複数のＵＥカテゴリーに関する前記シグナリングとに基づいて、前記複数のＵＥカテゴリーからＵＥカテゴリーを選択することと、
前記選択されたＵＥカテゴリーに基づいて、前記ＵＥにおいてＬＢＲＭのために使用するためのソフトチャネルビットの総数を決定することと、
ソフトチャネルビットの前記決定された総数に基づいてＬＢＲＭを実行することと
を行うためのコードを備える、コンピュータ可読媒体。
【請求項２３】
前記ＵＥは、ＵＥカテゴリー１１またはＵＥカテゴリー１２のうちの少なくとも１つが前記ｅＮＢに報告され、前記シグナリングが前記ｅＮＢから受信されたとき、前記複数のＵＥカテゴリーから前記ＵＥカテゴリー１１または前記ＵＥカテゴリー１２を選択する、
請求項２２に記載のコンピュータ可読媒体。
【請求項２４】
前記ＵＥは、前記選択されたＵＥカテゴリー１１または前記ＵＥカテゴリー１２に基づいて、前記ＵＥにおいてＬＢＲＭのために使用するためのソフトチャネルビットの前記総数を決定する、
請求項２３に記載のコンピュータ可読媒体。
【請求項２５】
前記ＵＥカテゴリーは、前記シグナリングが前記ｅＮＢから受信されないとき、送信モード９が前記ＵＥのために構成されたかどうかにさらに基づいて選択される、
請求項２２に記載のコンピュータ可読媒体。
【請求項２６】
前記ＵＥカテゴリー６は、送信モード９が前記ＵＥのために構成され、前記シグナリングが前記ｅＮＢから受信されないときに選択される、
請求項２５に記載のコンピュータ可読媒体。
【請求項２７】
前記ＵＥカテゴリー４は、送信モード９が前記ＵＥのために構成されず、前記シグナリングが前記ｅＮＢから受信されないときに選択される、
請求項２５に記載のコンピュータ可読媒体。
【請求項２８】
前記ＵＥは、２５６直交振幅変調（ＱＡＭ）で構成されたかどうかを決定することをさらに備え、前記複数のＵＥカテゴリーに関する前記シグナリングは、前記ＵＥが２５６ＱＡＭで構成されたとき、前記ｅＮＢから受信されると決定される、
請求項２２に記載のコンピュータ可読媒体。
【発明の詳細な説明】
【関連出願の相互参照】
【０００１】
[0001]本出願は、その全体が参照により本明細書に明確に組み込まれる、２０１４年１０月８日に出願された「UE Category Handling in LTE（登録商標）」と題する米国仮出願第６２／０６１，６１７号、および２０１５年１０月１日に出願された「UE CATEGORY HANDLING」と題する米国特許出願第１４／８７２，６５４号の利益を主張する。
【技術分野】
【０００２】
[0002]本開示は、一般に通信システムに関し、より詳細には、ユーザ機器（ＵＥ）カテゴリー処理に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータ可読媒体、および装置が提供される。本装置は、制限付きバッファレートマッチング（ＬＢＲＭ：limited buffer rate matching）を実行するためのものである。本装置はユーザ機器（ＵＥ）であり得る。本装置は、発展型ノードＢ（ｅＮＢ）に複数のＵＥカテゴリーを報告する。本装置は、複数のＵＥカテゴリーに関するシグナリングがｅＮＢから受信されたかどうかを決定する。本装置は、報告された複数のＵＥカテゴリーと、複数のＵＥカテゴリーに関するシグナリングとに基づいて、複数のＵＥカテゴリーからＵＥカテゴリーを選択する。本装置は、選択されたＵＥカテゴリーに基づいて、ＵＥにおいてＬＢＲＭのために使用するためのソフトチャネルビットの総数を決定する。さらに、本装置は、ソフトチャネルビットの決定された総数に基づいてＬＢＲＭを実行する。
【図面の簡単な説明】
【０００６】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７Ａ】連続キャリアアグリゲーションの一例を示す図。
【図７Ｂ】非連続キャリアアグリゲーションの一例を示す図。
【図８】例示的なＵＥカテゴリー処理を示す図。
【図９】制限付きバッファレートマッチングを実行するための方法のフローチャート。
【図１０】例示的な装置中の異なる手段／構成要素間のデータフローを示す概念データフロー図。
【図１１】処理システムを採用する装置のためのハードウェア実装形態の一例を示す図。
【発明を実施するための形態】
【０００７】
[0018]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素がブロック図の形式で示される。
【０００８】
[0019]次に、様々な装置および方法に関して電気通信システムのいくつかの態様が提示される。これらの装置および方法が、以下の発明を実施するための形態において説明され、（「要素」と総称される）様々なブロック、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【０００９】
[0020]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0021]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１１】
[0022]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１２】
[0023]Ｅ−ＵＴＲＡＮは、発展型ノードＢ（ｅＮＢ：evolved Node B）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0024]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１４】
[0025]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。ｅＮＢは１つまたは複数の（たとえば、３つの）（セクタとも呼ばれる）セルをサポートし得る。「セル」という用語は、ｅＮＢの最小カバレージエリア、および／または特定のカバレージエリアをサービスするｅＮＢサブシステムを指すことができる。さらに、「ｅＮＢ」、「基地局」、および「セル」という用語は、本明細書では互換的に使用され得る。
【００１５】
[0026]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００１６】
[0027]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１７】
[0028]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0029]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトラム拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0030]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７つの連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６つの連続するＯＦＤＭシンボルを含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0031]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２１】
[0032]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００２２】
[0033]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００２３】
[0034]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００２４】
[0035]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２５】
[0036]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担う。ＭＡＣサブレイヤ５１０はまたＨＡＲＱ動作を担う。
【００２６】
[0037]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担う。
【００２７】
[0038]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担う。
【００２８】
[0039]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００２９】
[0040]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３０】
[0041]コントローラ／プロセッサ６５９はＬ２レイヤを実装する。コントローラ／プロセッサ６５９は、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、暗号解読（deciphering）と、ヘッダ解凍（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担う。
【００３１】
[0042]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担う。
【００３２】
[0043]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３３】
[0044]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0045]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ解凍と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担う。
【００３５】
[0046]図７Ａは、連続キャリアアグリゲーションタイプを開示する。図７Ｂは、非連続キャリアアグリゲーションタイプを開示する。ＵＥは、各方向において送信のために使用される最高合計１００ＭＨｚ（５つのコンポーネントキャリア）のキャリアアグリゲーションにおいて割り振られた、最高２０ＭＨｚ帯域幅のスペクトルを使用し得る。概して、アップリンク上ではダウンリンクよりも少ないトラフィックが送信され、したがって、アップリンクスペクトル割振りはダウンリンク割振りよりも小さくなり得る。たとえば、アップリンクに２０ＭＨｚが割り当てられた場合、ダウンリンクは１００Ｍｈｚを割り当てられ得る。これらの非対称ＦＤＤ割当ては、スペクトルを節約し、ブロードバンド加入者による一般に非対称な帯域利用にぴったり合う。２つのタイプのキャリアアグリゲーション（ＣＡ）方法、すなわち、連続ＣＡおよび非連続ＣＡが提案されている。これら２つのタイプのＣＡ方法は図７Ａおよび図７Ｂに示されている。非連続ＣＡは、複数の利用可能なコンポーネントキャリアが周波数帯域に沿って分離されたときに生じる（図７Ｂ）。一方、連続ＣＡは、複数の利用可能なコンポーネントキャリアが互いに隣接するときに生じる（図７Ａ）。非連続ＣＡと連続ＣＡの両方は、単一のＵＥをサービスするために複数のＬＴＥ／コンポーネントキャリアをアグリゲートする。コンポーネントキャリアは、プライマリコンポーネントキャリアと、１つまたは複数のセカンダリコンポーネントキャリアとを含み得る。プライマリコンポーネントキャリアはプライマリセル（Ｐｃｅｌｌ）と呼ばれることがあり、セカンダリコンポーネントキャリアはセカンダリセル（ＳＣｅｌｌ）と呼ばれることがある。
【００３６】
[0047]ＦＤＤ、ＴＤＤおよび、ＦＤＤ−ＴＤＤの場合、トランスポートブロックのコードブロックの復号失敗時に、ＵＥは、ＨＡＲＱ処理のための受信されたソフトチャネルビットを記憶し得る。ＵＥがＨＡＲＱ処理のために記憶し得るソフトチャネルビットの総数（Ｎsoft）は、ＵＥのＵＥカテゴリーに応じて変動し得る。ＵＥは、様々なＬＴＥリリースのためのそれのＵＥカテゴリーをサービングｅＮＢに示し得る。たとえば、ＬＴＥリリース１２（Ｒｅｌ−１２）ＵＥは、Ｒｅｌ−１２の複数のＵＥカテゴリーのうちのＵＥカテゴリー、ＬＴＥリリース１１（Ｒｅｌ−１１）の複数のＵＥカテゴリーのうちのＵＥカテゴリー、ＬＴＥリリース１０（Ｒｅｌ−１０）の複数のＵＥカテゴリーのうちのＵＥカテゴリー、およびＬＴＥリリース８（Ｒｅｌ−８）の複数のＵＥカテゴリーのうちのＵＥカテゴリーのうちの１つまたは複数を示し得る。
【００３７】
[0048]ＬＴＥ  Ｒｅｌ−８では、５つのＵＥカテゴリーが以下のように定義される。
【００３８】
【表１】
2019075808.tif 000003
【００３９】
ここで、ソフトチャネルビットの総数は、ｅＮＢおよびＵＥにおけるＤＬ  ＨＡＲＱ動作のためのソフトバッファを管理するために使用される。ＬＴＥ  Ｒｅｌ−８の場合、ＵＥは、ＵＥカテゴリー１、２、３、４、または５を有し得、ＬＴＥ  Ｒｅｌ−８のためのそれのＵＥカテゴリーをサービングｅＮＢに示し得る。
【００４０】
[0049]ＬＴＥ  Ｒｅｌ−１０では、ＵＥカテゴリー６、７、および８が以下のように導入された。
【００４１】
【表２】
2019075808.tif 000004
【００４２】
ＬＴＥ  Ｒｅｌ−１０の場合、ＵＥは、ＵＥカテゴリー６、７、または８を有し得、ＬＴＥ  Ｒｅｌ−１０のためのそれのＵＥカテゴリーをサービングｅＮＢに示し得る。したがって、ＬＴＥ  Ｒｅｌ−１０の下で動作するＵＥは、（ＬＴＥ  Ｒｅｌ−８の下で動作するｅＮＢの場合）ＬＴＥ  Ｒｅｌ−８のための１、２、３、４、または５のＵＥカテゴリー、および（ＬＴＥ  Ｒｅｌ−１０の下で動作するｅＮＢの場合）ＬＴＥ  Ｒｅｌ−１０のための６、７、または８のＵＥカテゴリーを示し／シグナリングし得る。
【００４３】
[0050]Ｒｅｌ−１０ＵＥは、以下の可能な組合せ、すなわち、ＵＥカテゴリー５（Ｎsoft＝３６６７２００）とＵＥカテゴリー８（８つのレイヤ）（Ｎsoft＝３５９８２７２０）とを含む組合せ１、ＵＥカテゴリー４（Ｎsoft＝１８２７０７２）とＵＥカテゴリー６または７（２つのレイヤ）（Ｎsoft＝１８２７０７２）とを含む組合せ２（Ｎsoftがカテゴリーについて同じであるので、ここではあいまいさがない）、およびＵＥカテゴリー４（Ｎsoft＝１８２７０７２）とＵＥカテゴリー６または７（４つのレイヤ）（Ｎsoft＝３６５４１４４）とを含む組合せ３を用いて、最大２つのＵＥカテゴリーを示し／シグナリングすることができる。
【００４４】
[0051]ＵＥは、組合せ１および３の場合、いずれのＮsoft値を制限付きバッファレートマッチング（ＬＢＲＭ）のために使用すべきかを決定する。従来、ＵＥは、ＣＡまたは送信モード９（ＴＭ９）のいずれかが構成されたとき、より高いＵＥカテゴリーのＮsoftを使用し得る。従来の実装形態は、より小さいソフトバッファサイズが仮定されるので、他の送信モードに対する限られた性能影響を有し得る。これは、ＵＥが、ネットワーク「リリース」（ネットワークによって採用されたＬＴＥリリースバージョン）に関する仮定を行うことができることを暗示しないことに留意されたい。
【００４５】
[0052]ＬＴＥ  Ｒｅｌ−１１では、ＵＥカテゴリー９および１０が以下のように導入された。
【００４６】
【表３】
2019075808.tif 000005
【００４７】
[0053]ＬＴＥ  Ｒｅｌ−１２では、ＵＥカテゴリー６、７は２５６ＱＡＭのサポートを示し得る。フィールド「ソフトチャネルビットの総数」はそのままである。ＵＥカテゴリーにおける２つのフィールド「ＴＴＩ内で受信されるＤＬ−ＳＣＨトランスポートブロックビットの最大数」および「ＴＴＩ内で受信されるＤＬ−ＳＣＨトランスポートブロックの最大ビット数」は、２５６ＱＡＭピークデータレートをサポートするために更新される。「カテゴリー９、１０＋追加の２５６ＱＡＭ」のデータレート（約６００Ｍｂｐｓ）に基づく２つの新しいＵＥカテゴリー（１１および１２）が導入される。新しいＵＥカテゴリーは２５６ＱＡＭのオプションのサポートを有し得る。６および７を除く既存のカテゴリーはそのままであり得る。ＵＥカテゴリー８に基づいて、ＵＥカテゴリー１３がサポートされ得る。
【００４８】
【表４】
2019075808.tif 000006
【００４９】
[0054]ＵＥカテゴリー６または７を示すＲｅｌ−１２ＵＥは、ＵＥカテゴリー４（組合せ６，４または７，４）をも示し得る。ＵＥカテゴリー８を示すＵＥは、ＵＥカテゴリー５（組合せ８，５）をも示し得る。ＵＥカテゴリー９を示すＵＥは、ＵＥカテゴリー６および４（組合せ９，６，４）をも示し得る。ＵＥカテゴリー１０を示すＵＥは、ＵＥカテゴリー７および４（組合せ１０，７，４）をも示し得る。ＵＥカテゴリー１１を示すＵＥは、ＵＥカテゴリー９、６、および４（組合せ１１，９，６，４）をも示し得る。ＵＥカテゴリー１２を示すＵＥは、ＵＥカテゴリー１０、７、および４（組合せ１２，１０，７，４）をも示し得る。ＵＥカテゴリー１３を示すＵＥは、ＵＥカテゴリー８および５（組合せ１３，８，５）をも示し得る。したがって、各新しいＵＥカテゴリーは、複数のＵＥカテゴリーのうちのレガシー組合せと統合され得る。
【００５０】
[0055]図８は、例示的なＵＥカテゴリー処理を示す図８００である。図８００は、ＵＥ８０２が、８０６において明示的／暗黙的シグナリングを受信し得、８０８において１つまたは複数のＵＥカテゴリーをｅＮＢ８０４にシグナリング／示し得、８０６においてシグナリングが受信されたかどうかに基づいて（または８０６において受信された特定のシグナリングに基づいて）、および／または８０８においてｅＮＢ８０４にシグナリング／示された１つまたは複数のＵＥカテゴリーに基づいて、８１０においてソフトチャネルビットの総数を決定し得ることを示す。シグナリングは、構成された上位レイヤ（たとえば、ＲＲＣレイヤ）パラメータであり得る。一例では、シグナリングは、代替ＣＱＩテーブルに関連する上位レイヤパラメータであり得る。たとえば、上位レイヤパラメータは、ａｌｌＳｕｂｆｒａｍｅｓ（代替ＣＳＩテーブルがすべてのサブフレームに適用される）、ｃｓｉ−ＳｕｂｆｒａｍｅＳｅｔ１（代替ＣＳＩテーブルがＣＳＩサブフレームｓｅｔ１に適用される）、またはｃｓｉ−ＳｕｂｆｒａｍｅＳｅｔ２（代替ＣＳＩテーブルがＣＳＩサブフレームｓｅｔ２に適用される）に設定され得る、ａｌｔＣＱＩ−Ｔａｂｌｅ−ｒ１２であり得る。
【００５１】
[0056]ＵＥ８０２が８０６において特定のシグナリングを受信し、ＵＥが８０８においてＵＥカテゴリー１１または１２をシグナリングする場合、ＵＥ８０２は、上記で説明したテーブル中のＵＥカテゴリー１１または１２のためのソフトチャネルビットの対応する指定された総数に基づいて、８１０においてソフトチャネルビットの総数を決定し得る。しかしながら、ＵＥが８０８において（ＵＥカテゴリー１１および１２を含む）Ｒｅｌ−１２の複数のＵＥカテゴリーをシグナリングせず、および／またはＵＥ８０２が８０６においてそのような特定のシグナリングを受信しない場合、ＵＥ８０２は、Ｒｅｌ−１２の複数のＵＥカテゴリー（たとえば、ＵＥカテゴリー１１および１２）以外の異なるＵＥカテゴリーに基づいて、８１０においてソフトチャネルビットの総数を決定し得る。
【００５２】
[0057]ＵＥ８０２が、Ｒｅｌ−１２の複数のＵＥカテゴリー以外の異なるＵＥカテゴリーに基づいて、８１０においてソフトチャネルビットの総数を決定する（すなわち、Ｒｅｌ−１２の複数のＵＥカテゴリーに基づいてソフトチャネルビットの総数を決定するための上記の要件が満たされない）と仮定する。ＵＥ８０２が８０６において特定のシグナリングを受信し、ＵＥが８０８においてＵＥカテゴリー９または１０をシグナリングする場合、ＵＥ８０２は、上記で説明したテーブル中のＵＥカテゴリー９または１０のためのソフトチャネルビットの対応する指定された総数に基づいて、８１０においてソフトチャネルビットの総数を決定し得る。しかしながら、ＵＥが８０８においてＵＥカテゴリー９または１０をシグナリングせず、および／あるいはＵＥ８０２が８０６においてそのような特定のシグナリングを受信しない場合、ＵＥ８０２は、ＵＥカテゴリー９および１０以外の異なるＵＥカテゴリーに基づいて、８１０においてソフトチャネルビットの総数を決定し得る。
【００５３】
[0058]ＵＥ８０２が、Ｒｅｌ−１２およびＲｅｌ−１１の複数のＵＥカテゴリー（たとえば、ＵＥカテゴリー９、１０、１１、および１２）以外の異なるＵＥカテゴリーに基づいて、８１０においてソフトチャネルビットの総数を決定する（すなわち、ＵＥカテゴリー９、１０、１１、および１２に基づいて、ソフトチャネルビットの総数を決定するための上記の要件が満たされない）と仮定する。ＵＥが、８０８においてＵＥカテゴリー６、７、または８をシグナリングし、送信モードの特定のセットの送信モード（たとえば、ＴＭ９または送信モード１０（ＴＭ１０））で構成された場合、ＵＥ８０２は、上記で説明したテーブル中のＵＥカテゴリー６、７、または８のためのソフトチャネルビットの対応する指定された総数に基づいて、８１０においてソフトチャネルビットの総数を決定し得る。そうではなく、ＵＥが、８０８においてＵＥカテゴリー６、７、または８をシグナリングせず、および／あるいは送信モードの特定のセットの送信モード（たとえば、ＴＭ９またはＴＭ１０）で構成されない場合、ＵＥ８０２は、Ｒｅｌ−８ＵＥカテゴリー（上記で説明したテーブル中のＵＥカテゴリー１、２、３、４、または５）のためのソフトチャネルビットの対応する指定された総数に基づいて、８１０においてソフトチャネルビットの総数を決定し得る。
【００５４】
[0059]上記で説明したように、ＵＥは、８０６において特定のシグナリングが受信されたかどうかに基づいて、８１０においてソフトチャネルビットの総数（すなわち、Ｎsoft値）を決定し得る。上述の特定のシグナリングは、明示的に受信された暗黙的シグナリングと見なされ得る。しかしながら、概して、ＵＥは、明示的シグナリングならびに／または混合された明示的シグナリングおよび暗黙的シグナリングに基づいて、いずれのＮsoft値をＬＢＲＭのために使用すべきかを決定し得る。明示的シグナリングは、ＵＥが（たとえば、Ｒｅｌ−１２ＵＥの場合、Ｒｅｌ−１２のための１つのＵＥカテゴリーと、Ｒｅｌ−１１のための１つのＵＥカテゴリーと、Ｒｅｌ−１０のための１つのＵＥカテゴリーと、Ｒｅｌ−８のための１つのＵＥカテゴリーとを含む）異なる複数のＵＥカテゴリーの組合せを示すとき、いずれのＮsoft値を使用すべきかを示す情報を含み得る。たとえば、カテゴリー１１、９、６、および４を示すＵＥは、ＵＥカテゴリー１１、９、６、および４のいずれのＮsoft値が使用されるべきかを示す明示的シグナリングをさらに受信し得る。
【００５５】
[0060]混合された明示的シグナリングおよび暗黙的シグナリング（たとえば、既存のＵＥネットワーク構成プロパティ）に関して、第１の構成では、ＵＥがＲｅｌ−１２  ２５６ＱＡＭで構成された場合、ＵＥは、ＵＥカテゴリー１１／１２に対応するＮsoft値（たとえば、７３０８２８８）を（暗黙的シグナリングに基づいて）仮定し得る。ＵＥがＲｅｌ−１２  ２５６ＱＡＭで構成された場合に上位レイヤパラメータ代替ＣＱＩテーブルが受信されるにすぎないことがある。したがって、ＵＥは、ＵＥがＲｅｌ−１２  ２５６ＱＡＭで構成されたかどうかに基づいて、８０６において複数のＵＥカテゴリーに関する上述のシグナリングがｅＮＢ８０４から受信されたかどうかを決定し得る。そうではなく、ＵＥがＲｅｌ−１２  ２５６ＱＡＭで構成されない場合、ＵＥは、Ｎsoft値がＵＥカテゴリー１１／１２に基づくか否かを決定するために、明示的シグナリングを受信し得る。明示的シグナリングが、Ｎsoft値がＵＥカテゴリー１１／１２に基づかないことを示す場合、ＵＥは、さらに、ＵＥカテゴリー６または４に対応するＮsoft値を使用すべきかどうかを決定するために、ＵＥがＣＡ、ＴＭ９、またはＴＭ１０で構成されたかどうかを考察し得る。たとえば、ＵＥがＣＡ、ＴＭ９、またはＴＭ１０で構成された場合、ＵＥは、ＵＥカテゴリー６に対応するＮsoft値（たとえば、３６５４１４４）を使用し得、そうではなく、ＵＥがＣＡ、ＴＭ９、またはＴＭ１０で構成されない場合、ＵＥは、ＵＥカテゴリー４に対応するＮsoft値（たとえば、１８２７０７２）を使用し得る。第２の構成では、ＵＥは、Ｎsoft値がＵＥカテゴリー１１／１２に対応するかどうかに関する明示的シグナリングを受信し得る。明示的シグナリングが、Ｎsoft値がＵＥカテゴリー１１／１２に対応することを示す場合、ＵＥは、対応するＮsoft値（たとえば、７３０８２８８）を使用する。しかしながら、明示的シグナリングが、Ｎsoft値がＵＥカテゴリー１１／１２に対応せず、ＵＥがＣＡ、ＴＭ９、またはＴＭ１０で構成されたことを示す場合、ＵＥは、Ｎsoft値（たとえば、３６５４１４４）がＵＥカテゴリー６に対応すると仮定し得る。そうではなく、明示的シグナリングが、Ｎsoft値がＵＥカテゴリー１１／１２に対応せず、ＵＥがＣＡ、ＴＭ９、またはＴＭ１０で構成されないことを示す場合、ＵＥは、Ｎsoft値（たとえば、１８２７０７２）がＵＥカテゴリー４に対応すると仮定し得る。
【００５６】
[0061]暗黙的シグナリングのみに関して、第１の構成では、ＵＥがＲｅｌ−１２  ２５６ＱＡＭで構成された場合、ＵＥは、ＵＥカテゴリー１１／１２に対応するＮsoft値（たとえば、７３０８２８８）を仮定し得る。しかしながら、ＵＥがＲｅｌ−１２  ２５６ＱＡＭで構成されず、ＵＥが拡張ＰＤＣＣＨ（ＥＰＤＣＣＨ：enhanced PDCCH）、異なるＵＬ／ＤＬ構成をもつＴＤＤ  ＣＡ、さらなる拡張セル間干渉協調（ｆｅＩＣＩＣ：further enhanced inter-cell interference coordination）、拡張干渉緩和およびトラフィック適応（ｅＩＭＴＡ：enhanced interference mitigation and traffic adaptation）、より新しいＭＩＭＯコードブックなどで構成された場合、ＵＥは、ＵＥカテゴリー１１／１２に対応するＮsoft値（たとえば、７３０８２８８）を仮定し得る。そうではなく、ＵＥが上述の構成（ＥＰＤＣＣＨ、異なるＵＬ／ＤＬ構成をもつＴＤＤ  ＣＡ、ｆｅＩＣＩＣ、ｅＩＭＴＡ、より新しいＭＩＭＯコードブック）で構成されず、ＵＥがＣＡ、ＴＭ９、またはＴＭ１０で構成された場合、ＵＥは、ＵＥカテゴリー６に対応するＮsoft値（たとえば、３６５４１４４）を仮定し得る。そうではなく、ＵＥが上述の構成（ＥＰＤＣＣＨ、異なるＵＬ／ＤＬ構成をもつＴＤＤ  ＣＡ、ｆｅＩＣＩＣ、ｅＩＭＴＡ、より新しいＭＩＭＯコードブック、ＣＡ、ＴＭ９、ＴＭ１０）で構成されない場合、ＵＥは、ＵＥカテゴリー４に対応するＮsoft値（たとえば、１８２７０７２）を仮定し得る。第２の構成では、ＵＥがＥＰＤＣＣＨ、異なるＵＬ／ＤＬ構成をもつＴＤＤ  ＣＡ、ｆｅＩＣＩＣ、ｅＩＭＴＡ、より新しいＭＩＭＯコードブックなどで構成された場合、ＵＥは、ＵＥカテゴリー１１／１２に対応するＮsoft値（たとえば、７３０８２８８）を仮定し得る。そうではなく、ＵＥが上述の構成（ＥＰＤＣＣＨ、異なるＵＬ／ＤＬ構成をもつＴＤＤ  ＣＡ、ｆｅＩＣＩＣ、ｅＩＭＴＡ、より新しいＭＩＭＯコードブック）で構成されず、ＵＥがＣＡ、ＴＭ９、またはＴＭ１０で構成された場合、ＵＥは、ＵＥカテゴリー６に対応するＮsoft値（たとえば、３６５４１４４）を仮定し得る。そうではなく、ＵＥが上述の構成（ＥＰＤＣＣＨ、異なるＵＬ／ＤＬ構成をもつＴＤＤ  ＣＡ、ｆｅＩＣＩＣ、ｅＩＭＴＡ、より新しいＭＩＭＯコードブック、ＣＡ、ＴＭ９、ＴＭ１０）で構成されない場合、ＵＥは、ＵＥカテゴリー４に対応するＮsoft値（たとえば、１８２７０７２）を仮定し得る。
【００５７】
[0062]再び図８を参照すると、ＵＥが、８０８においてＲｅｌ−１２ＵＥカテゴリー１１または１２をシグナリングし、８０６においてＤＬセルのためのａｌｔＣＱＩ−Ｔａｂｌｅ−ｒ１２をもつ上位レイヤ（暗黙的シグナリング）によって構成された場合、Ｎsoftは、シグナリングされたＵＥカテゴリー１１または１２に応じたソフトチャネルビットの総数である（上記のテーブル参照）。そうではなく、ＵＥが、８０８においてＲｅｌ−１１ＵＥカテゴリー９または１０をシグナリングし、８０６においてＤＬセルのためのａｌｔＣＱＩ−Ｔａｂｌｅ−ｒ１２をもつ上位レイヤ（暗黙的シグナリング）によって構成された場合、Ｎsoftは、シグナリングされたＵＥカテゴリー９または１０に応じたソフトチャネルビットの総数である（上記のテーブル参照）。そうではなく、ＵＥが、８０８においてＲｅｌ−１０ＵＥカテゴリー６、７、または８をシグナリングし、ＤＬセルのためのＴＭ９またはＴＭ１０で構成された場合、Ｎsoftは、シグナリングされたＵＥカテゴリー６、７、または８に応じたソフトチャネルビットの総数である。場合によっては、Ｎsoftは、８０８においてシグナリングされたＲｅｌ−８ＵＥカテゴリー１、２、３、４、または５に応じたソフトチャネルビットの総数である。
【００５８】
[0063]図９は、ＬＢＲＭを実行するための方法のフローチャート９００である。本方法は、ＵＥ（たとえば、ＵＥ８０２、装置１００２／１００２’）によって実行され得る。
【００５９】
[0064]９０２において、ＵＥはｅＮＢに複数のＵＥカテゴリーを報告する。たとえば、ＵＥは、Ｒｅｌ−８のためのＵＥカテゴリー（たとえば、ＵＥカテゴリー１、２、３、４、または５）、Ｒｅｌ−１０のためのＵＥカテゴリー（たとえば、ＵＥカテゴリー６、７、または８）、Ｒｅｌ−１１のためのＵＥカテゴリー（たとえば、ＵＥカテゴリー９または１０）、および／またはＲｅｌ−１２のためのＵＥカテゴリー（たとえば、ＵＥカテゴリー１１または１２）を報告し得る。別の例では、組合せ６，４；７，４；８，５；９，６，４；１０，７，４；１１，９，６，４；１２，１０，７，４；または１３，８，５のいずれかが報告され得る。
【００６０】
[0065]９０４において、ＵＥは、複数のＵＥカテゴリーに関するシグナリングがｅＮＢから受信されたかどうかを決定する。そのようなシグナリングは、構成された上位レイヤ（たとえば、ＲＲＣレイヤ）パラメータであり得る。一例では、シグナリングは、ａｌｔＣＱＩ−Ｔａｂｌｅ−ｒ１２など、上位レイヤパラメータ代替ＣＱＩテーブルであり得る。一構成では、ＵＥは、ＵＥが２５６ＱＡＭで構成されたかどうかを決定し得る。９０４において、ＵＥは、ＵＥが２５６ＱＡＭで構成されたとき、ＵＥカテゴリーに関するシグナリングがｅＮＢから受信されたと決定し得る。
【００６１】
[0066]９０６において、ＵＥは、報告された複数のＵＥカテゴリーと、複数のＵＥカテゴリーに関するシグナリングとに基づいて、複数のＵＥカテゴリーからＵＥカテゴリーを選択する。たとえば、ＵＥが、Ｒｅｌ−１２ＵＥカテゴリー１１または１２を報告し、シグナリング（たとえば、ａｌｔＣＱＩ−Ｔａｂｌｅ−ｒ１２）を受信した場合、ＵＥは、ＵＥカテゴリー１１または１２を選択し得る。別の例では、ＵＥが、Ｒｅｌ−１２ＵＥカテゴリーを報告せず、および／またはシグナリングを受信せず、ＵＥがＲｅｌ−１１ＵＥカテゴリー９または１０を報告した場合、ＵＥは、ＵＥカテゴリー９または１０を選択し得る。
【００６２】
[0067]９０８において、ＵＥは、選択されたＵＥカテゴリーに基づいて、ＵＥにおいてＬＢＲＭのために使用するためのソフトチャネルビットの総数Ｎsoftを決定する。たとえば、ＵＥがＵＥカテゴリー１１または１２を選択した場合、ＵＥは、ソフトチャネルビットの総数Ｎsoftが７３０８２８８であると決定し得る。別の例では、ＵＥがＵＥカテゴリー９または１０を選択した場合、ＵＥは、ソフトチャネルビットの総数Ｎsoftが５４８１２１６であると決定し得る。
【００６３】
[0068]その後、９１０において、ＵＥは、ソフトチャネルビットの決定された総数Ｎsoftに基づいてＬＢＲＭを実行する。ＬＢＲＭを実行するために、ＵＥは、ＨＡＲＱ処理のための受信されたソフトチャネルビットを記憶する。ＵＥは、ＨＡＲＱ処理のために多くともＮsoft個のソフトチャネルビットを記憶する。ＵＥは、次いで、記憶されたソフトチャネルビットに基づいてＬＢＲＭを実行し、ここで、ＬＢＲＭがその上で実行されるソフトチャネルビットの数は、Ｎsoftよりも小さいかまたはそれに等しい。
【００６４】
[0069]上記で説明したように、ＵＥは、ＵＥカテゴリー１１またはＵＥカテゴリー１２のうちの少なくとも１つがｅＮＢに報告され、シグナリングがｅＮＢから受信されたとき、複数のＵＥカテゴリーからＵＥカテゴリー１１またはＵＥカテゴリー１２を選択し得る。さらに、ＵＥは、選択されたＵＥカテゴリー１１またはＵＥカテゴリー１２に基づいて、ＵＥにおいてＬＢＲＭのために使用するためのソフトチャネルビットの総数を決定し得る。
【００６５】
[0070]上記で説明したように、ＵＥカテゴリーは、シグナリングがｅＮＢから受信されないとき、ＴＭ９がＵＥのために構成されたかどうかにさらに基づいて選択され得る。一構成では、ＵＥカテゴリー６は、送信モード９がＵＥのために構成され、シグナリングがｅＮＢから受信されないときに選択される。一構成では、ＵＥカテゴリー４は、ＴＭ９がＵＥのために構成されずシグナリングがｅＮＢから受信されないときに選択される。
【００６６】
[0071]図１０は、例示的な装置１００２中の異なる手段／構成要素間のデータフローを示す概念データフロー図１０００である。本装置はＵＥであり得る。本装置は、受信構成要素１００４と、ソフトチャネルビット決定構成要素１００６と、ＬＢＲＭ構成要素１００８と、送信構成要素１０１０と、ＵＥカテゴリー構成要素１０１２とを含む。ＵＥカテゴリー構成要素１０１２は、複数のカテゴリーを決定することと、送信構成要素１０１０に、複数のカテゴリーを示す情報を与えることとを行うように構成される。送信構成要素１０１０は、ｅＮＢ１０５０に複数のＵＥカテゴリーを報告するように構成される。送信構成要素１０１０は、ソフトチャネルビット決定構成要素１００６に、報告された複数のＵＥカテゴリーを示す情報を与える。受信構成要素１００４は、ｅＮＢ１０５０からシグナリングを受信するように構成される。受信構成要素１００４は、ソフトチャネルビット決定構成要素１００６に、シグナリングに関連する情報を与えるように構成される。そのような情報は、特定のシグナリング、および／またはそのような特定のシグナリングが受信されたかどうかを示す情報であり得る。ソフトチャネルビット決定構成要素１００６は、複数のＵＥカテゴリーに関するシグナリングがｅＮＢから受信されたかどうかを決定するように構成される。ソフトチャネルビット決定構成要素１００６は、報告された複数のＵＥカテゴリーと、複数のＵＥカテゴリーに関するシグナリングとに基づいて、複数のＵＥカテゴリーからＵＥカテゴリーを選択するように構成される。さらに、ソフトチャネルビット決定構成要素１００６は、選択されたＵＥカテゴリーに基づいて、ＵＥにおいてＬＢＲＭのために使用するためのソフトチャネルビットの総数を決定するように構成される。ソフトチャネルビット決定構成要素１００６は、ＬＢＲＭ構成要素１００８に、ソフトチャネルビットの総数Ｎsoftを示す情報を与えるように構成される。ＬＢＲＭ構成要素１００８は、ソフトチャネルビットの決定された総数に基づいてＬＢＲＭを実行するように構成される。
【００６７】
[0072]一構成では、ＵＥ／ソフトチャネルビット決定構成要素１００６は、ＵＥカテゴリー１１またはＵＥカテゴリー１２のうちの少なくとも１つがｅＮＢに報告され、シグナリングがｅＮＢから受信されたとき、複数のＵＥカテゴリーからＵＥカテゴリー１１またはＵＥカテゴリー１２を選択するように構成される。一構成では、ＵＥ／ソフトチャネルビット決定構成要素１００６は、選択されたＵＥカテゴリー１１またはＵＥカテゴリー１２に基づいて、ＵＥにおいてＬＢＲＭのために使用するためのソフトチャネルビットの総数を決定するように構成される。一構成では、ＵＥカテゴリーは、シグナリングがｅＮＢから受信されないとき、送信モード９がＵＥのために構成されたかどうかにさらに基づいて、ソフトチャネルビット決定構成要素１００６によって選択される。一構成では、ＵＥカテゴリー６は、送信モード９がＵＥのために構成され、シグナリングがｅＮＢから受信されないとき、ソフトチャネルビット決定構成要素１００６によって選択される。一構成では、ＵＥカテゴリー４は、送信モード９がＵＥのために構成されず、シグナリングがｅＮＢから受信されないとき、ソフトチャネルビット決定構成要素１００６によって選択される。
【００６８】
[0073]本装置は、図９の上述のフローチャート中のアルゴリズムのブロックの各々を実行する追加の構成要素を含み得る。したがって、図９の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６９】
[0074]図１１は、処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェア構成要素と、構成要素１００４、１００６、１００８、１０１０、１０１２と、コンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００７０】
[0075]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４、特に受信構成要素１００４に与える。さらに、トランシーバ１１１０は、処理システム１１１４、特に送信構成要素１０１０から情報を受信し、受信された情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担う。ソフトウェアは、プロセッサ１１０４によって実行されたとき、処理システム１１１４に、特定の装置のための上記で説明した様々な機能を実施させる。コンピュータ可読媒体／メモリ１１０６はまた、ソフトウェアを実行するときにプロセッサ１１０４によって操作されるデータを記憶するために使用され得る。処理システム１１１４は、構成要素１００４、１００６、１００８、１０１０、１０１２のうちの少なくとも１つをさらに含む。それらの構成要素は、プロセッサ１１０４中で動作し、コンピュータ可読媒体／メモリ１１０６中に存在する／記憶されたソフトウェア構成要素であるか、プロセッサ１１０４に結合された１つまたは複数のハードウェア構成要素であるか、またはそれらの何らかの組合せであり得る。処理システム１１１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００７１】
[0076]一構成では、ＵＥによってＬＢＲＭを実行するための装置１００２／１００２’は、ｅＮＢに複数のＵＥカテゴリーを報告するための手段を含む。さらに、本装置は、複数のＵＥカテゴリーに関するシグナリングがｅＮＢから受信されたかどうかを決定するための手段を含む。さらに、本装置は、報告された複数のＵＥカテゴリーと、複数のＵＥカテゴリーに関するシグナリングとに基づいて、複数のＵＥカテゴリーからＵＥカテゴリーを選択するための手段を含む。さらに、本装置は、選択されたＵＥカテゴリーに基づいて、ＵＥにおいてＬＢＲＭのために使用するためのソフトチャネルビットの総数を決定するための手段を含む。さらに、本装置は、ソフトチャネルビットの決定された総数に基づいてＬＢＲＭを実行するための手段を含む。一構成では、本装置は、ＵＥが２５６ＱＡＭで構成されたかどうかを決定するための手段をさらに含み得る。そのような構成では、ＵＥが２５６ＱＡＭで構成されたとき、ＵＥによって、複数のＵＥカテゴリーに関するシグナリングがｅＮＢから受信されると決定され得る。
【００７２】
[0077]上述の手段は、上述の手段によって具陳された機能を実行するように構成された、装置１００２、および／または装置１００２’の処理システム１１１４の上述の構成要素のうちの１つまたは複数であり得る。上記で説明したように、処理システム１１１４は、ＴＸプロセッサ６６８と、ＲＸプロセッサ６５６と、コントローラ／プロセッサ６５９とを含み得る。したがって、一構成では、上述の手段は、上述の手段によって具陳される機能を実行するように構成されたＴＸプロセッサ６６８、ＲＸプロセッサ６５６、およびコントローラ／プロセッサ６５９であり得る。
【００７３】
[0078]開示したプロセス／フローチャートにおけるブロックの特定の順序または階層は、例示的な手法の一例であることを理解されたい。設計選好に基づいて、プロセス／フローチャートにおけるブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【００７４】
[0079]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
【図１】
2019075808.tif 000007
【図２】
2019075808.tif 000008
【図３】
2019075808.tif 000009
【図４】
2019075808.tif 000010
【図５】
2019075808.tif 000011
【図６】
2019075808.tif 000012
【図７Ａ】
2019075808.tif 000013
【図７Ｂ】
2019075808.tif 000014
【図８】
2019075808.tif 000015
【図９】
2019075808.tif 000016
【図１０】
2019075808.tif 000017
【図１１】
2019075808.tif 000018
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって制限付きバッファレートマッチング（ＬＢＲＭ）を実行するための方法であって、
発展型ノードＢ（ｅＮＢ）に複数のＵＥカテゴリーを報告することと、
前記複数のＵＥカテゴリーに関するシグナリングが前記ｅＮＢから受信されたかどうかを決定することと、
前記報告された複数のＵＥカテゴリーと、前記複数のＵＥカテゴリーに関する前記シグナリングとに基づいて、前記複数のＵＥカテゴリーからＵＥカテゴリーを選択することと、
前記選択されたＵＥカテゴリーに基づいて、前記ＵＥにおいてＬＢＲＭのために使用するためのソフトチャネルビットの総数を決定することと、
ソフトチャネルビットの前記決定された総数に基づいてＬＢＲＭを実行することと
を備える、方法。
【手続補正２】
【補正対象書類名】明細書
【補正対象項目名】００７４
【補正方法】変更
【補正の内容】
【００７４】
[0079]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）によって制限付きバッファレートマッチング（ＬＢＲＭ）を実行するための方法であって、
発展型ノードＢ（ｅＮＢ）に複数のＵＥカテゴリーを報告することと、
前記複数のＵＥカテゴリーに関するシグナリングが前記ｅＮＢから受信されたかどうかを決定することと、
前記報告された複数のＵＥカテゴリーと、前記複数のＵＥカテゴリーに関する前記シグナリングとに基づいて、前記複数のＵＥカテゴリーからＵＥカテゴリーを選択することと、
前記選択されたＵＥカテゴリーに基づいて、前記ＵＥにおいてＬＢＲＭのために使用するためのソフトチャネルビットの総数を決定することと、
ソフトチャネルビットの前記決定された総数に基づいてＬＢＲＭを実行することと
を備える、方法。
［Ｃ２］
前記ＵＥは、ＵＥカテゴリー１１またはＵＥカテゴリー１２のうちの少なくとも１つが前記ｅＮＢに報告され、前記シグナリングが前記ｅＮＢから受信されたとき、前記複数のＵＥカテゴリーから前記ＵＥカテゴリー１１または前記ＵＥカテゴリー１２を選択する、
［Ｃ１］に記載の方法。
［Ｃ３］
前記ＵＥは、前記選択されたＵＥカテゴリー１１または前記ＵＥカテゴリー１２に基づいて、前記ＵＥにおいてＬＢＲＭのために使用するためのソフトチャネルビットの前記総数を決定する、
［Ｃ２］に記載の方法。
［Ｃ４］
前記ＵＥカテゴリーは、前記シグナリングが前記ｅＮＢから受信されないとき、送信モード９が前記ＵＥのために構成されたかどうかにさらに基づいて選択される、
［Ｃ１］に記載の方法。
［Ｃ５］
前記ＵＥカテゴリー６は、送信モード９が前記ＵＥのために構成され、前記シグナリングが前記ｅＮＢから受信されないときに選択される、
［Ｃ４］に記載の方法。
［Ｃ６］
前記ＵＥカテゴリー４は、送信モード９が前記ＵＥのために構成されず、前記シグナリングが前記ｅＮＢから受信されないときに選択される、
［Ｃ４］に記載の方法。
［Ｃ７］
前記ＵＥが２５６直交振幅変調（ＱＡＭ）で構成されたかどうかを決定することをさらに備え、前記複数のＵＥカテゴリーに関する前記シグナリングは、前記ＵＥが２５６ＱＡＭで構成されたとき、前記ｅＮＢから受信されると決定される、
［Ｃ１］に記載の方法。
［Ｃ８］
制限付きバッファレートマッチング（ＬＢＲＭ）を実行するための装置であって、前記装置は、ユーザ機器（ＵＥ）であり、
メモリと、
前記メモリに結合された少なくとも１つのプロセッサと
を備え、前記少なくとも１つのプロセッサは、
発展型ノードＢ（ｅＮＢ）に複数のＵＥカテゴリーを報告することと、
前記複数のＵＥカテゴリーに関するシグナリングが前記ｅＮＢから受信されたかどうかを決定することと、
前記報告された複数のＵＥカテゴリーと、前記複数のＵＥカテゴリーに関する前記シグナリングとに基づいて、前記複数のＵＥカテゴリーからＵＥカテゴリーを選択することと、
前記選択されたＵＥカテゴリーに基づいて、前記ＵＥにおいてＬＢＲＭのために使用するためのソフトチャネルビットの総数を決定することと、
ソフトチャネルビットの前記決定された総数に基づいてＬＢＲＭを実行することと
を行うように構成された、装置。
［Ｃ９］
前記ＵＥは、ＵＥカテゴリー１１またはＵＥカテゴリー１２のうちの少なくとも１つが前記ｅＮＢに報告され、前記シグナリングが前記ｅＮＢから受信されたとき、前記複数のＵＥカテゴリーから前記ＵＥカテゴリー１１または前記ＵＥカテゴリー１２を選択する、
［Ｃ８］に記載の装置。
［Ｃ１０］
前記ＵＥは、前記選択されたＵＥカテゴリー１１または前記ＵＥカテゴリー１２に基づいて、前記ＵＥにおいてＬＢＲＭのために使用するためのソフトチャネルビットの前記総数を決定する、
［Ｃ９］に記載の装置。
［Ｃ１１］
前記ＵＥカテゴリーは、前記シグナリングが前記ｅＮＢから受信されないとき、送信モード９が前記ＵＥのために構成されたかどうかにさらに基づいて選択される、［Ｃ８］に記載の装置。
［Ｃ１２］
前記ＵＥカテゴリー６は、送信モード９が前記ＵＥのために構成され、前記シグナリングが前記ｅＮＢから受信されないときに選択される、
［Ｃ１１］に記載の装置。
［Ｃ１３］
前記ＵＥカテゴリー４は、送信モード９が前記ＵＥのために構成されず、前記シグナリングが前記ｅＮＢから受信されないときに選択される、
［Ｃ１１］に記載の装置。
［Ｃ１４］
前記少なくとも１つのプロセッサは、前記ＵＥが２５６直交振幅変調（ＱＡＭ）で構成されたかどうかを決定するようにさらに構成され、ここにおいて、前記複数のＵＥカテゴリーに関する前記シグナリングは、前記ＵＥが２５６ＱＡＭで構成されたとき、前記ｅＮＢから受信されると決定される、
［Ｃ８］に記載の装置。
［Ｃ１５］
制限付きバッファレートマッチング（ＬＢＲＭ）を実行するための装置であって、前記装置は、ユーザ機器（ＵＥ）であり、
発展型ノードＢ（ｅＮＢ）に複数のＵＥカテゴリーを報告するための手段と、
前記複数のＵＥカテゴリーに関するシグナリングが前記ｅＮＢから受信されたかどうかを決定するための手段と、
前記報告された複数のＵＥカテゴリーと、前記複数のＵＥカテゴリーに関する前記シグナリングとに基づいて、前記複数のＵＥカテゴリーからＵＥカテゴリーを選択するための手段と、
前記選択されたＵＥカテゴリーに基づいて、前記ＵＥにおいてＬＢＲＭのために使用するためのソフトチャネルビットの総数を決定するための手段と、
ソフトチャネルビットの前記決定された総数に基づいてＬＢＲＭを実行するための手段と
を備える、装置。
［Ｃ１６］
前記ＵＥは、ＵＥカテゴリー１１またはＵＥカテゴリー１２のうちの少なくとも１つが前記ｅＮＢに報告され、前記シグナリングが前記ｅＮＢから受信されたとき、前記複数のＵＥカテゴリーから前記ＵＥカテゴリー１１または前記ＵＥカテゴリー１２を選択する、
［Ｃ１５］に記載の装置。
［Ｃ１７］
前記ＵＥが、前記選択されたＵＥカテゴリー１１または前記ＵＥカテゴリー１２に基づいて、前記ＵＥにおいてＬＢＲＭのために使用するためのソフトチャネルビットの前記総数を決定する、
［Ｃ１６］に記載の装置。
［Ｃ１８］
前記ＵＥカテゴリーは、前記シグナリングが前記ｅＮＢから受信されないとき、送信モード９が前記ＵＥのために構成されたかどうかにさらに基づいて選択される、
［Ｃ１５］に記載の装置。
［Ｃ１９］
前記ＵＥカテゴリー６は、送信モード９が前記ＵＥのために構成され、前記シグナリングが前記ｅＮＢから受信されないときに選択される、
［Ｃ１８］に記載の装置。
［Ｃ２０］
前記ＵＥカテゴリー４は、送信モード９が前記ＵＥのために構成されず、前記シグナリングが前記ｅＮＢから受信されないときに選択される、
［Ｃ１８］に記載の装置。
［Ｃ２１］
前記ＵＥは、２５６直交振幅変調（ＱＡＭ）で構成されたかどうかを決定するための手段をさらに備え、前記複数のＵＥカテゴリーに関する前記シグナリングは、前記ＵＥが２５６ＱＡＭで構成されたとき、前記ｅＮＢから受信されると決定される、
［Ｃ１５］に記載の装置。
［Ｃ２２］
ユーザ機器（ＵＥ）によって制限付きバッファレートマッチング（ＬＢＲＭ）を実行するためのコンピュータ実行可能コードを記憶するコンピュータ可読媒体であって、
発展型ノードＢ（ｅＮＢ）に複数のＵＥカテゴリーを報告することと、
前記複数のＵＥカテゴリーに関するシグナリングが前記ｅＮＢから受信されたかどうかを決定することと、
前記報告された複数のＵＥカテゴリーと、前記複数のＵＥカテゴリーに関する前記シグナリングとに基づいて、前記複数のＵＥカテゴリーからＵＥカテゴリーを選択することと、
前記選択されたＵＥカテゴリーに基づいて、前記ＵＥにおいてＬＢＲＭのために使用するためのソフトチャネルビットの総数を決定することと、
ソフトチャネルビットの前記決定された総数に基づいてＬＢＲＭを実行することと
を行うためのコードを備える、コンピュータ可読媒体。
［Ｃ２３］
前記ＵＥは、ＵＥカテゴリー１１またはＵＥカテゴリー１２のうちの少なくとも１つが前記ｅＮＢに報告され、前記シグナリングが前記ｅＮＢから受信されたとき、前記複数のＵＥカテゴリーから前記ＵＥカテゴリー１１または前記ＵＥカテゴリー１２を選択する、
［Ｃ２２］に記載のコンピュータ可読媒体。
［Ｃ２４］
前記ＵＥは、前記選択されたＵＥカテゴリー１１または前記ＵＥカテゴリー１２に基づいて、前記ＵＥにおいてＬＢＲＭのために使用するためのソフトチャネルビットの前記総数を決定する、
［Ｃ２３］に記載のコンピュータ可読媒体。
［Ｃ２５］
前記ＵＥカテゴリーは、前記シグナリングが前記ｅＮＢから受信されないとき、送信モード９が前記ＵＥのために構成されたかどうかにさらに基づいて選択される、
［Ｃ２２］に記載のコンピュータ可読媒体。
［Ｃ２６］
前記ＵＥカテゴリー６は、送信モード９が前記ＵＥのために構成され、前記シグナリングが前記ｅＮＢから受信されないときに選択される、
［Ｃ２５］に記載のコンピュータ可読媒体。
［Ｃ２７］
前記ＵＥカテゴリー４は、送信モード９が前記ＵＥのために構成されず、前記シグナリングが前記ｅＮＢから受信されないときに選択される、
［Ｃ２５］に記載のコンピュータ可読媒体。
［Ｃ２８］
前記ＵＥは、２５６直交振幅変調（ＱＡＭ）で構成されたかどうかを決定することをさらに備え、前記複数のＵＥカテゴリーに関する前記シグナリングは、前記ＵＥが２５６ＱＡＭで構成されたとき、前記ｅＮＢから受信されると決定される、
［Ｃ２２］に記載のコンピュータ可読媒体。
【外国語明細書】
2019075808000001.pdf